(57)【要約】【課題】  送信機から送信されていないＥＰＧデータを生成する電子機器、およびデータ生成方法を提供する。【解決手段】  ＣＰＵ１０は、チューナ１３から出力されたデータを用いて所定期間内に放送される番組に関するデータであるＥＰＧデータを生成する（ステップ  Ｓ１００）。さらに、ＣＰＵ１０は、ステップＳ１００にて生成した所定期間内に放送される番組に関するデータを用いて、該所定期間よりも時刻的に後に放送される番組に関するデータであるＥＰＧデータを生成する（ステップ  Ｓ１０１）。【選択図】      図３
2008092204.tif 000002
【特許請求の範囲】
【請求項１】
所定の期間内に放送される番組に関するデータを受信する受信手段と、
前記受信手段によって受信した所定の期間内に放送される番組に関するデータを用いて、この所定の期間よりも時刻的に後に放送される番組に関するデータを生成する手段と、
を具備することを特徴とする電子機器。
【請求項２】
前記生成手段は、前記受信手段によって受信した所定の期間内に放送される番組に関するデータのうち日のデータに７を加算していくことで、この所定の期間よりも時刻的に後に放送される番組に関するデータを生成する手段であることを特徴とする請求項１記載の電子機器。
【請求項３】
前記生成手段は、前記受信手段によって受信した複数の所定の期間内に放送される番組に関するデータを用いて、放送されている頻度が高い番組のデータを用いて、この所定の期間よりも時刻的に後に放送される番組に関するデータを生成する手段であることを特徴とする請求項１記載の電子機器。
【請求項４】
所定の期間内に放送される番組に関するデータを受信し、
前記受信した所定の期間内に放送される番組に関するデータを用いて、この所定の期間よりも時刻的に後に放送される番組に関するデータを生成することを特徴とするデータ生成方法。
【請求項５】
前記受信した所定の期間内に放送される番組に関するデータのうち日のデータに７を加算していくことで、この所定の期間よりも時刻的に後に放送される番組に関するデータを生成することを特徴とする請求項４記載のデータ生成方法。
【請求項６】
前記受信した複数の所定の期間内に放送される番組に関するデータを用いて、放送されている頻度が高い番組のデータを用いて、この所定の期間よりも時刻的に後に放送される番組に関するデータを生成することを特徴とする請求項４記載のデータ生成方法。
【発明の詳細な説明】
【技術分野】
【０００１】
本発明は、ＥＰＧデータを使用する電子機器に関する。
【背景技術】
【０００２】
近年、デジタル放送やインターネットの普及に伴い、ＥＰＧと称される番組データがユーザの使用する受信機に提供されるようになった。ＥＰＧデータは、所定の期間内に放送される番組に関するデータである。受信機によって受信されたＥＰＧデータを用いて、例えばディスプレイに電子番組表を表示することが可能である。ユーザはディスプレイに表示された電子番組表を見ながら、例えば番組録画予約等を行うことが可能である。
【０００３】
送信機から送信されるＥＰＧデータを受信機が未受信である場合、ディスプレイに電子番組表を表示できない問題を解決する技術として以下の特許文献１に開示されている技術があった。
【特許文献１】特表２００３−２３００６７号公報
【発明の開示】
【発明が解決しようとする課題】
【０００４】
特許文献１の技術によると、送信機からＥＰＧデータが送信済みにも関わらず受信機がＥＰＧデータを未受信である場合に、ディスプレイに電子番組表を表示可能となる。
【０００５】
電子番組表をディスプレイに表示できない場合として、特許文献１にて示される場合の他に、送信機からＥＰＧデータが送信されていない場合がある。このような場合においても、ユーザは将来放送される番組に関する電子番組表を利用して、将来放送されるであろう番組についての録画予約等を行いたいというニーズが存在する。
【０００６】
本発明は上記実情に鑑みてなされたものであり、送信機から送信されていないＥＰＧデータを生成する電子機器、およびデータ生成方法を提供することを目的とする。
【課題を解決するための手段】
【０００７】
本発明に係る電子機器は、所定の期間内に放送される番組に関するデータを受信する受信手段と、前記受信手段によって受信した所定の期間内に放送される番組に関するデータを用いて、この所定の期間よりも時刻的に後に放送される番組に関するデータを生成する手段と、を具備することを特徴とする
【０００８】
本発明に係るデータ生成方法は、所定の期間内に放送される番組に関するデータを受信し、前記受信した所定の期間内に放送される番組に関するデータを用いて、この所定の期間よりも時刻的に後に放送される番組に関するデータを生成することを特徴とする
【発明の効果】
【０００９】
送信機から送信されていないＥＰＧデータを生成する電子機器、およびデータ生成方法を提供することが可能となる。
【発明を実施するための最良の形態】
【００１０】
図１は、デジタル放送受信機の構成の一例を示す図である。
【００１１】
デジタル放送受信機１は、ＣＰＵ１０、ＲＯＭ１１、ＲＡＭ１２、チューナ１３、アンテナ１４および表示部１５で構成される。
【００１２】
ＣＰＵ１０はデジタル放送受信機１を構成するシステム全体を制御する。ＣＰＵ１０は例えばＲＯＭ１１に格納されているプログラムをＲＡＭ１２にロードし、ＲＡＭ１２にロードしたプログラムを実行する。
【００１３】
ＲＯＭ１１にはプログラム、プログラムの実行により生成されたデータ等が格納される。
【００１４】
チューナ１３にはアンテナ１４が接続されている。アンテナ１４は例えばデジタル放送局から送信されたデジタル放送波を受信する。チューナ１３はアンテナ１４にて受信したデジタル放送波に対してデコード処理、高画質化処理等を行う。
【００１５】
ＣＰＵ１０は、チューナ１３から出力されたデータを用いて、ＥＰＧ（Electronic Program Guide）データを生成する。また、ＣＰＵ１０はＥＰＧデータに基づく電子番組表、またはチューナ１３から出力されたデータに基づいて生成された番組データを表示部１５に表示させる。次にＥＰＧデータについて説明する。
【００１６】
図２は、ＥＰＧデータの構成の一例を示す図である。
【００１７】
ＥＰＧデータは、所定の期間内に放送される番組に関するデータである。例えば、図１を用いて説明したデジタル放送受信機１等で受信されるデジタル放送波には、所定期間内に放送される番組に関するデータ、例えば一週間以内に放送される番組に関するデータが含まれている。
【００１８】
ＥＰＧデータに基づく電子番組表は図１を用いて説明した表示部１５に表示される。ユーザは表示部１５に表示された電子番組表を見ることで、ＴＶ番組について知ることが可能となる。例えば、あるＴＶ番組の放送開始時刻、放送終了時刻、出演者といった情報を知ることが可能である。
【００１９】
ＥＰＧデータの構成の一例として、図２に示す構成が考えられる。図２に示すＥＰＧデータはチャネル毎に纏められているデータである。例えば１ｃｈで受信されるＴＶ番組に関するデータ、２ｃｈで受信されるＴＶ番組に関するデータ、といった具合である。
【００２０】
チャネル毎のデータの構成は、例えば次のような構成である。ある番組に対して、番組名、日付、番組放送開始時刻、番組放送終了時刻、出演者といった情報が割り当てられている。例えば、"番組名"＝"７時のニュース"、"日付"＝"２００６年９月６日"、"番組放送開始時刻"＝"１９時００分００秒"、"番組放送終了時刻"＝"１９時２９分００秒"、"出演者"＝"円丸閥抜"といった具合である。
【００２１】
図２を用いて説明したＥＰＧデータは、上述にて説明したとおり、所定期間内に放送される番組に関するデータである。従って、所定期間よりも時刻的に後に放送される番組に関するデータは含まれていない。例えば、ＥＰＧデータを含むデジタル放送波を受信する機器は、一週間以内に放送される番組に関するデータを有するが、この一週間よりも時刻的に後に放送される番組に関するデータを有していない。次に、デジタル放送受信機器１にて実行される処理の一例について説明する。
【００２２】
図３は、所定の期間よりも後に放送される可能性のある番組に関するデータを含むＥＰＧデータを生成する手順の一例について説明する流れ図である。図３を用いて説明する処理は、図１を用いて説明したＣＰＵ１０が、ＲＡＭ１２に展開した所定のプログラムを実行することで行われる処理である。
【００２３】
ＣＰＵ１０は、チューナ１３から出力されたデータを用いて、所定期間内に放送される番組に関するデータであるＥＰＧデータを生成する（ステップ  Ｓ１００）。
【００２４】
さらに、ＣＰＵ１０は、ステップＳ１００にて生成した所定期間内に放送される番組に関するデータを用いて、該所定期間よりも時刻的に後に放送される番組に関するデータであるＥＰＧデータを生成する（ステップ  Ｓ１０１）。
【００２５】
ステップＳ１０１にて生成される時刻的に後に放送される番組に関するデータであるＥＰＧデータを作成する方法として、次の方法等が考えられる。既に生成している所定の期間内に放送される番組に関するデータであるＥＰＧデータの"日付"のデータを、各月の日数を考慮して変更する、という方法等が考えられる。毎週、同じ時間帯に放送される番組が存在する、という番組編成の特性を利用したやり方である。
【００２６】
例えば、所定の期間内に放送される番組に関するＥＰＧデータに含まれている、ある番組に対して割り当てられている日付のデータを各月の日数を考慮して７日分ずつプラスする。
【００２７】
所定の期間内に放送される番組に関するＥＰＧデータに含まれている、ある番組に対して割り当てられている日付のデータが"２００６年９月６日"である場合、日付のデータを"２００６年９月１３日"に変更することで、該所定期間よりも時刻的に後に放送される番組に関するデータであるＥＰＧデータを生成する。
【００２８】
ステップＳ１０１にて生成した所定期間よりも時刻的に後に放送される番組に関するデータであるＥＰＧデータに基づく電子番組表を表示部１５に表示する場合（ステップ  Ｓ１０２  Ｙｅｓ）、ＣＰＵ１０は所定期間よりも時刻的に後に放送される番組に関するデータであるＥＰＧデータに基づく電子番組表を表示部１５に表示させる（ステップ  Ｓ１０３）。
【００２９】
このように、デジタル放送局から送信されたデジタル放送波に含まれているＥＰＧデータを用いて、デジタル放送局からまだ送信されていないデジタル放送波に含まれるべきＥＰＧデータを推測するデータを作成することで、ＥＰＧデータ未取得の番組についての録画予約等を行うことが可能となる。
【００３０】
上述にて説明した方法の他に、例えば過去数週間分のＥＰＧデータに基づいて、同じ番組が放送されていた回数が多いものを採用して生成するとういうやり方も考えられる。例えば、過去数週間にわたって「７時に放送開始」される「７時のニュース」が放送されているという、番組の放送された回数（頻度）のデータに基づいて、後に放送される番組に関するデータであるＥＰＧデータとして「７時に放送開始」される「７時のニュース」といったデータを作成する。このようにして作成されたＥＰＧデータは、例えば各週毎のある時間帯における番組の変更頻度といったユーザに対する情報提供に用いることも可能である。
【００３１】
また、受信済みのＥＰＧデータと所定期間よりも時刻的に後に放送される番組に関するデータとして生成されたＥＰＧデータとを区別するために、夫々のデータの色を異ならせてディスプレイに表示させるとよい。
【００３２】
また、本実施形態では、デジタル放送受信機を例に挙げて説明したが、これに限定することは無く、例えばコンピュータといった電子機器であってもよい。さらに、ネットワーク機能を有する電子機器である場合、ネットワーク機能を用いてＥＰＧデータを受信する構成であってもよい。
【００３３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】デジタル放送受信機の構成の一例を示す図。
【図２】ＥＰＧデータの構成の一例を示す図。
【図３】所定の期間よりも後の期間に放送される可能性のあるＥＰＧデータを生成する手順の一例について説明する流れ図。
【符号の説明】
【００３５】
１…デジタル放送受信機、１０…ＣＰＵ、１１…ＲＯＭ、１２…ＲＡＭ、
１３…チューナ、１４…アンテナ、１５…表示部、
【図１】
2008092204.tif 000003
【図２】
2008092204.tif 000004
【図３】
2008092204.tif 000005